(57)【要約】      （修正有）【課題】塗料の飛散を防止できるとともに、塗りムラや塗り残しを生じることなく短時間で確実に塗装対象部位の塗装を行なうことができる塗装装置を提供する。【解決手段】本発明の塗装装置は、加圧塗料を供給する塗料供給部と、該塗料供給部から塗料を受けて噴射する噴射カバー１０とを備える。噴射カバー１０は、塗装対象部位を覆うための内側カバー体２０と、内側カバー体２０の外側に配置され、内側カバー体２０との間に塗料の流通路２２を形成する外側カバー体２１と、流通路２２に沿って点在して設けられ、流通路２２を通じて流れる塗料を内側カバー体２０の内側に形成される塗装空間Ｓ内に噴射するための複数の塗料噴射部４０とを有する。【選択図】図３
2012200694.tif 000002
【特許請求の範囲】
【請求項１】
加圧塗料を供給する塗料供給部と、
前記塗料供給部から塗料を受けて噴射する噴射カバーと、
を備え、
前記噴射カバーは、
塗装対象部位を覆うための内側カバー体と、
前記内側カバー体の外側に配置され、内側カバー体との間に塗料の流通路を形成する外側カバー体と、
前記流通路に沿って点在して設けられ、前記流通路を通じて流れる塗料を前記内側カバー体の内側に形成される塗装空間内に噴射するための複数の塗料噴射部と、
を有することを特徴とする塗装装置。
【請求項２】
前記塗料噴射部が前記内側カバー体に形成される噴射口から成ることを特徴とする請求項１に記載の塗装装置。
【請求項３】
前記塗料噴射部が前記噴射カバーに着脱自在に取り付けられる噴射ユニットから成ることを特徴とする請求項１に記載の塗装装置。
【請求項４】
前記内側カバー体と前記外側カバー体とが互いに着脱自在に取り付けられることを特徴とする請求項１ないし請求項３のいずれか１項に記載の塗装装置。
【請求項５】
前記噴射カバーは、円筒形状、円錐形状、または、六角形状を成すことを特徴とする請求項１ないし請求項４のいずれか１項に記載の塗装装置。
【発明の詳細な説明】
【技術分野】
【０００１】
本発明は、塗装装置に関し、特に、鉄橋等の建築構造物に取り付けられるリベットを固定するナットの表面を塗装するのに適した塗装装置に関する。
【背景技術】
【０００２】
従来から、建設作業現場などでは、様々な構造部品に対して様々な形態で塗装が行なわれる。とりわけ、構造部品同士を締結するボルトやナットの表面を塗装する場合には、締結後に塗装が行なわれる。これは、ボルトやナットを予め塗装した後に締結すると、締結時に塗料が剥げてしまうからである。
【０００３】
しかしながら、締結後に塗装を行なう場合には、幾つかの問題が生じる。例えば、塗料を噴射装置によって塗装対象部位へ向けて吹き付ける場合には、塗料が不必要な部位へ飛散する場合がある。そのため、状況によっては、作業者が刷毛等によって塗料を塗装対象部位に対して丁寧に塗ることも行なわれる。しかし、そのような手作業による塗装は煩雑であり、人件費がかかる。特に、刷毛を使用して塗装を行う場合、地面に近い幅狭な部位では、例えばナットなどの塗装対象部材の地面側の表面部位に塗料を付着させることは難しく、塗りムラや塗り残しが生じる可能性がある。
【０００４】
そのため、噴射装置による塗装を可能にしつつ塗料の飛散を防止できるように、例えば特許文献１および特許文献２には、塗料飛散防止カバーを備えた塗装装置が提案されている。
【先行技術文献】
【特許文献】
【０００５】
【特許文献１】特開２００４−２４３１７６号公報
【特許文献２】特開２００９−２０２０８０号公報
【発明の概要】
【発明が解決しようとする課題】
【０００６】
しかしながら、前記特許文献に開示される塗装装置では、塗料の飛散を防止できても、塗料が所定の１つの噴射部分から噴射されて拡散されるだけであるため、全ての塗装対象部位に対して満遍なく均一に塗装を行なえるとは限らない。特に、鉄橋等の構造物に多用されているナットの表面部位に対し、短い時間で均一に塗料を付着させることが難しく、塗りムラや塗り残しが生じる可能性がある。
【０００７】
本発明は、上記した問題に着目してなされたものであり、塗料の飛散を防止できるとともに、塗りムラや塗り残しを生じることなく短時間で確実に塗装対象部位の塗装を行なうことができる塗装装置を提供することを目的とする。
【課題を解決するための手段】
【０００８】
上記した目的を達成するために、本発明に係る塗装装置は、加圧塗料を供給する塗料供給部と、前記塗料供給部から塗料を受けて噴射する噴射カバーとを備え、前記噴射カバーは、塗装対象部位を覆うための内側カバー体と、前記内側カバー体の外側に配置され、内側カバー体との間に塗料の流通路を形成する外側カバー体と、前記流通路に沿って点在して設けられ、前記流通路を通じて流れる塗料を前記内側カバー体の内側に形成される塗装空間内に噴射するための複数の塗料噴射部とを有することを特徴とする。
【０００９】
上記構成によれば、噴射カバーを構成する外側カバー体と内側カバー体との間に、塗料を流通させるための流通路が設けられるとともに、この流通路に沿って点在して複数の塗料噴射部を設けるため、塗装対象物に対して最適な位置に塗料噴射部を配設することができ、これにより、内側カバー体によって形成される塗装空間内に満遍なく塗料を行渡らせることが可能となる。したがって、塗装空間内に位置される塗装対象部位に対して塗りムラや塗り残しを生じることなく短時間で確実に塗装を行なうことができる。また、上記構成では、内側カバー体によって塗装対象部位を覆うことができるため、塗料の飛散についても防止することがかできる。
【発明の効果】
【００１０】
本発明によれば、塗料の飛散を防止できるとともに、塗りムラや塗り残しを生じることなく短時間で確実に塗装対象部位の塗装を行なうことができる塗装装置を提供できる。
【図面の簡単な説明】
【００１１】
【図１】本発明の一実施形態に係る塗装装置の全体構成図である。
【図２】（ａ）は図１の塗装装置の噴射カバーを構成する外側カバー体の断面図、（ｂ）は噴射カバーを構成する内側カバー体の断面図である。
【図３】内側カバー体と外側カバー体とが組み付けられて成る噴射カバー全体の断面図である。
【図４】噴射カバーの第１の変形例を示す断面図である。
【図５】（ａ）は噴射カバーの第２の変形例を示す縦断面図、（ｂ）は（ａ）のＡ−Ａ線に沿う横断面図である。
【発明を実施するための形態】
【００１２】
以下、図面を参照して本発明の実施形態について説明する。  
図１〜図３は本発明の一実施形態を示している。図１に示されるように、本実施形態の塗装装置１は、鉄橋等の建築構造物Ｓに取り付けられるリベットを固定するナット５０の表面を塗装するのに特に適しており、加圧塗料を供給する塗料供給部３０と、塗料供給部３０から塗料を受けて噴射する噴射カバー１０とを備えている。
【００１３】
前記塗料供給部３０は、噴射カバー１０への加圧塗料の供給を制御する操作レバー３を具備する操作部２と、操作部２から噴射カバー１０へと延びる供給チューブ５とを有している。前記供給チューブ５の内側流路と連通する操作部２の基端の口金６には、塗料を加圧状態で供給する例えば加圧ポンプ付きのリザーバ（図示せず）が図示しない接続チューブを介して着脱自在に接続される。また、供給チューブ５は、噴射カバー１０の塗料注入ポート１２に設けられた接続口金１３に対して例えば着脱自在に接続される。  
したがって、このような構成では、前記リザーバ側の加圧ポンプを駆動させて操作部２の操作レバー３を握り込むと、リザーバから供給チューブ５を介して噴射カバー１０の注入ポート１２へ塗料が供給され、また、操作レバー３の握り込み操作力を解除すると、噴射カバー１０への塗料の供給が停止される。
【００１４】
図３に詳しく示されるように、噴射カバー１０は、塗装対象部位（図１の例では、ナット５０）を覆うための円筒形状の内側カバー体２０と、内側カバー体２０の外側に同心的に配置され、内側カバー体２０との間に塗料の流通路２２を形成する円筒形状の外側カバー体２１とから成る。この場合、外側カバー体２１の内径は内側カバー体２０の外径よりも大きく設定されており、これらの径の寸法差により流通路２２の内径が規定される。また、図２に示されるように、内側カバー体２０は、その開口部２０ａの外周縁部に、径方向外側に延びる断面Ｌ字型の環状接続部２５を有しており、環状接続部２５の内周面には雌ネジ２９が形成され、この雌ネジ２９は外側カバー体２１の開口部２１ａの外周面に形成される雄ネジ２７と螺合するようになっている。
【００１５】
したがって、内側カバー体２０上に外側カバー体２１を被せるように外側カバー体２１によって内側カバー体２０を同心的に包囲して、ネジ２７，２９同士を螺合させると、図３に示されるように両カバー２０，２２同士が同心的に重合配置されて、外側カバー体２１の内周面と内側カバー体２０の外周面との間に流通路２２が形成されるとともに、環状接続部２５の底壁部２５ａによって流通路２２が閉じられる。なお、この構成では、流通路２２内を外部に対してシールするために、ネジ２７，２９同士の螺合接続部間にＯリング等のシール部材を介挿することが好ましい。
【００１６】
また、このように外側カバー体２１と内側カバー体２０とが着脱自在に取り付けられて成る噴射カバー１０には、流通路２２を通じて流れる塗料を内側カバー体２０の内側に形成される塗装空間Ｓ内に噴射するための複数の塗料噴射部４０が設けられている。この場合、これらの塗料噴射部４０は、流通路２２に沿って点在して設けられており、具体的に本実施形態では、内側カバー体２０に形成される噴射口２０ｂによって形成されている。これらの噴射口２０ｂは、流通路２２と塗装空間Ｓとを連通させるように内側カバー体２０の周側面２０ｃおよび上面２０ｄに互いに所定の間隔を隔てて設けられる。
【００１７】
なお、噴射口２０ｂには、流通路２２内を流れる塗料を霧状にして噴射させる噴霧ノズル（図示せず）が設けられており、塗料は、霧状になって、所定の範囲に広がるように飛散される。また、噴射口２０ｂは、内側カバー体２０で覆われるナットの表面に万遍なく塗料を飛散できるように、内側カバー体２０の周側面に、所定間隔をおいて複数個所設置される（図に示す構成では、上下２段にして、円周方向に沿って所定間隔をおいて設置されている）。また、本実施形態では、ナットの側面のみならず、表面に塗料を飛散させるように、内側カバー体２０の天板２０ｄの略中央部にも噴射口２０ｂが配設されている。
【００１８】
以上のようにして構成される塗装装置１を用いて鉄橋等の建築構造物Ｓに取り付けられるリベットを固定するナット５０の表面を塗装する場合には、まず、塗装対象となるナット５０を内側カバー体２０の塗装空間Ｓ内に取り込むように噴射カバー１０の開口端面を構造物Ｓの表面に当て付ける（図１の矢印参照）。そして、その状態で、前述したリザーバ側の加圧ポンプを駆動させて操作部２の操作レバー３を握り込むと、リザーバから供給チューブ５を介して噴射カバー１０の注入ポート１２へ塗料が供給され、図３に矢印で示されるように、噴射カバー１０の流通路２２の全体にわたって塗料が流れて、全ての噴射部４０（噴射口２０ｂ）から塗装空間Ｓ内に向けて塗料が均一に拡散噴射される。
【００１９】
上記のように、本実施形態によれば、噴射カバー１０を構成する外側カバー体２１と内側カバー体２０と間に、塗料を流通させるための流通路２２が設けられるとともに、この流通路２２に沿って点在して複数の塗料噴射部４０（２０ｂ）が設けられているため、内側カバー体２０によって形成される塗装空間Ｓ内に満遍なく塗料を行渡らせることが可能となる。したがって、図３に示すように、噴射口２０ｂを設置することで、塗装空間Ｓ内に位置される塗装対象物（ナット５０）に対して塗りムラや塗り残しを生じることなく短時間で確実に塗装を行なうことができる。また、本実施形態では、内側カバー体２０によって塗装対象物（ナット５０）が覆われるため、塗料の飛散を防止できる。また、本実施形態では、カバー体２０，２１同士を、ネジ２７，２９を介して簡単に着脱することができるため、噴射カバー１０の洗浄等のメンテナンスが容易に行える。
【００２０】
図４は噴射カバーの第１の変形例を示している。図示のように、本変形例の噴射カバー１０Ａは円錐形状を成しており、内側カバー体２０Ａと外側カバー体２１Ａとが着脱不能に一体に形成されている。また、内側カバー体２０Ａと外側カバー体２１Ａとの間に形成される塗料のための流通路２２は、カバー体２０Ａ，２１Ａ同士を接続する接続端壁４３によって閉じられている。また、本変形例においても、流通路２２に沿って点在する噴射部４０が内側カバー体２０Ａに設けられる噴射口２０ｂによって形成されている（それ以外の構成は前述した実施形態と同じである）。
【００２１】
したがって、本変形例においても、前述した実施形態と同様の作用効果を得ることができるとともに、噴射部４０から噴射される塗料を塗装対象部位へと集中的に方向付けることができるため、塗装対象部位を効率的に塗装することができる。  
なお、内側カバー体２０Ａと外側カバー体２１Ａは、圧入するようにして、着脱可能に構成しても良い。
【００２２】
図５は噴射カバーの第２の変形例を示している。図示のように、本変形例の噴射カバー１０Ｂは、例えば六角ナットの形状に適合するように六角形の筒体を成しており、内側カバー体２０Ｂと外側カバー体２１Ｂとが着脱不能に一体形成されている。また、この場合も第１の変形例と同様に、内側カバー体２０Ｂと外側カバー体２１Ｂとの間に形成される塗料のための流通路２２は、カバー体２０Ｂ，２１Ｂ同士を接続する接続端壁４９によって閉じられている。
【００２３】
本変形例では、流通路２２に沿って点在して配設される噴射部４０は、それぞれ、噴射カバー１０Ｂに着脱自在に取り付けられる噴射ユニット７０によって構成されている。具体的に、本変形例において、噴射ユニット７０は、内側カバー体２０Ｂの塗装空間Ｓ内へ向けられるノズル形状の噴射口７０ａと、流通路２２と連通可能な流入口７０ｂとを有しており、各カバー体２０Ｂ，２１Ｂに形成される取り付けネジ部７２，７５に対して螺合して取り付けられる。なお、それ以外の構成は前述した実施形態と同じである。
【００２４】
したがって、本変形例においても、前述した実施形態と同様の作用効果を得ることができるとともに、必要に応じて噴射ユニット７０を交換できるため、メンテナンスが容易に行え、また、塗料の粘度に合った噴霧が行なえるようになる。
【００２５】
なお、本発明は、前述した実施形態に限定されず、その要旨を逸脱しない範囲で種々変形して実施することが可能である。例えば、前述した噴射カバーの形状は、円筒形状や円錐形状などに限定されることなく、様々な形状をとることができる。また、カバー同士の着脱構造もネジに限定されず、圧入、クランプ、弾性的な係止など、様々な形態を採用することが可能である。さらに、噴射部の形態も任意であり、流通路２２内に流れる塗料を内側カバー体の塗装空間内に噴射できればどのような形態であっても差し支えない。
【符号の説明】
【００２６】
１  塗装装置
１０  噴射カバー
２０，２０Ａ，２０Ｂ  内側カバー体
２０ｂ  噴射口
２１，２１Ａ，２１Ｂ  外側カバー体
２２  流通路
３０  塗料供給部
４０  噴射部
７０  噴射ユニット
Ｓ  塗装空間
【図１】
2012200694.tif 000003
【図２】
2012200694.tif 000004
【図３】
2012200694.tif 000005
【図４】
2012200694.tif 000006
【図５】
2012200694.tif 000007